(57)【要約】【課題】機密性の要求される文書や複写することに違法性がある画像を不正に複写しようとした者を簡単に知ることが可能で、不正に複写しようとした画像が何であるかを、システム管理者が簡単に知ることが可能になる画像処理装置を提供することを目的とする。【解決手段】操作者が操作者判別装置１９を用いてＭＦＰ１を使用可能状態にした後、読取部２で読み取ったデジタル画像データは第１画像データ処理部１６へ送られて不正な複写でないかチェックされ、もし不正であれば映像記憶装置１７が操作者の映像を撮影し、操作者判別装置１９が操作者情報を得て、それらを不正に複写しようとした画像データとともに保存する。保存されたデータは管理者が外部ＰＣ端末６を使っていつでも取り出せる。【選択図】図１
2007336469.tif 000002
【特許請求の範囲】
【請求項１】
原稿の画像を読み取り電子化した画像データを得る画像読取手段と、
前記画像読取手段によって得られた画像データから予め決められたパターンを認識したとき、前記画像データに対して通常の画像形成をしないように抑制する画像形成抑制手段と、
前記パターンを認識したときの装置周囲の映像データを取得して記憶する映像データ記憶手段と、
を有する画像処理装置において、
装置の操作者を特定する操作者情報を入力されることによって操作者を判別する操作者判別手段を有し、
前記映像データと前記操作者情報とを関連づけて前記映像データ記憶手段に記憶することを特徴とする画像処理装置。
【請求項２】
前記映像データ記憶手段は、前記パターンを認識した原稿の画像データも併せて、前記操作者情報と関連づけて記憶することを特徴とする請求項１記載の画像処理装置。
【請求項３】
前記映像データを集約化して、前記映像データ記憶手段に記憶させる集約手段を有することを特徴とする請求項１又は２記載の画像処理装置。
【請求項４】
前記操作者判別手段が操作者を管理者であると判別した場合に限り、前記集約手段によって集約された前記映像データ及び前記操作者情報を印刷する手段を有することを特徴とする請求項３記載の画像処理装置。
【請求項５】
前記操作者情報及び前記映像データを、装置外部の管理者用装置へ送信する送信手段を有することを特徴とする請求項１から４のいずれか１項記載の画像処理装置。
【請求項６】
前記送信手段は、前記操作者情報及び前記映像データを、前記操作者情報から割り出した操作者用装置にも送信することを特徴とする請求項１から４のいずれか１項記載の画像処理装置。
【請求項７】
前記映像データは、不正な画像読み取りを行った操作者の映像データであることを特徴とする請求項１から６のいずれか１項記載の画像処理装置。
【請求項８】
前記映像データは、不正な画像読取を行った操作者の動画の映像データであることを特徴とする請求項７記載の画像処理装置。
【請求項９】
前記映像データは、不正な画像読取を行った操作者の静止画の映像データであることを特徴とする請求項７記載の画像処理装置。
【発明の詳細な説明】
【技術分野】
【０００１】
本発明は、複写機、ファクシミリ、プリンタ、スキャナ等の機能を複合したデジタル複合機（ＭＦＰ）において、不正な画像形成を試みた操作者を特定する画像処理装置に関する。
【背景技術】
【０００２】
ＣＣＤ光電変換素子からなるラインセンサ読取装置やレーザーによる書き込み装置の発展により、アナログ複写機からデジタル化された画像データの処理を行うデジタル複写機が登場した。
また、デジタル複写機となってからは、複写機の機能だけでなく、ファクシミリ、プリンタ、スキャナの各機能を複合させたため、単なるデジタル複写機ではなく、デジタル複合機（「ＭＦＰ」と略称する）と呼ばれるようになった。
さらに、ハードディスクドライブ（ＨＤＤ）を含むメモリの大容量化と低コスト化、ネットワークを含む通信技術の高速化と普及、ＣＰＵの処理能力の向上、デジタル画像データに関連する技術（例えば、特性値の規格化や圧縮フォーマット）等々、ＭＦＰに関連する技術の進化に伴い、ＭＦＰに搭載される機能も多種多様化してきている。
【０００３】
今日、オフィスの中でのＭＦＰの使われ方も多種多様化してきている。
例えば、パーソナルコンピュータ（「ＰＣ」と略称する）の横にペアで設置され、各職務者が手軽に複写機、ファクシミリ、プリンタ、スキャナの機能を使用することができる小型のＭＦＰがある。
また、部署や日単位の複数名で共有され、ある程度の生産性やソート、パンチ、ステープルを含む各種の機能が使用できる中型のＭＦＰがある。
さらに、企業の中では複写関連業務を集中して行う部署、もしくは複写関連業務そのものを生業とする会社では、高生産性と高品位で、多機能な大型のＭＦＰが使用されている。
上述のように小型から大型までと多様化してきているＭＦＰであるが、各クラスに亘って共有できる機能も存在するが、クラス毎に要求が強い機能も存在する。
【０００４】
例えば、大型のＭＦＰではパンチ、ステープル、紙折りを含むプロット後の紙に対する後加工や、複写業務と同時に電子ファイリング化することが求められ、小型のＭＦＰではインターネットＦＡＸやＰＣ−ＦＡＸの機能の充実や、パーソナル的な使用目的として、専用紙に対する高品位画像印刷が求められる。
このように多種多様化してきているＭＦＰ市場に対して、従来は各クラスに必要な機能をセットにしたシステムを構築して販売提供していた。
ところで、ビジネスにおける情報価値の重要性は既に認知されており、情報を早く、正確に、確実に伝えるだけでなく、分かりやすく且つ効果的に伝えることも要求されている。
特に、通信技術の高速化と普及化、メモリの大容量化と低コスト化、小型化とＰＣの高性能化に伴い、不正に機密文書や社外秘文書を簡単に複製する環境が、存在することになり、不正に文書を複写（コピー）できないようにするための技術が発展してきており、さらなるセキュリティ強化が望まれている。
【０００５】
企業の中では、機密文書、社外秘文書を作成し、配布することも増えたが、同時に不正にそのような画像を簡単に複製する環境が、同じオフィス内に存在することになり、不正に文書を複写できないようにするための技術が発展してきており、さらなるセキュリティの強化や多機能化が望まれている。
従来、入力画像が複写に違法性のある紙幣等の原稿かを判断し、違法性ありと判定した場合は、通常の画像形成をさせないようにするとともに、違法画像が印刷されようとした旨を他の装置へ通報するように指示し、さらに、その詳しい状況を示す日時、印刷しようとした枚数、縮尺、印刷しようとした画像の状況情報を他の装置へ送信する画像処理装置（例えば、特許文献１参照）があった。
【特許文献１】特開２００２−２３２７０７号公報
【発明の開示】
【発明が解決しようとする課題】
【０００６】
しかしながら、従来の画像処理装置では、不正に複写しようとした者を簡単に知ることができないという問題があった。また、不正に複写しようとした画像が何であるかを、システム管理者が簡単に知ることができないという問題もあった。
【０００７】
そこで、本発明は、機密性の要求される文書や複写することに違法性がある画像を不正に複写しようとした者を簡単に知ることが可能で、不正に複写しようとした画像が何であるかを、管理者が簡単に知ることが可能になる画像処理装置を提供することを目的とする。
【課題を解決するための手段】
【０００８】
上記目的を達成するためになされた請求項１記載の本発明は、原稿の画像を読み取り電子化した画像データを得る画像読取手段と、前記画像読取手段によって得られた画像データから予め決められたパターンを認識したとき、前記画像データに対して通常の画像形成をしないように抑制する画像形成抑制手段と、前記パターンを認識したときの装置周囲の映像データを取得して記憶する映像データ記憶手段と、を有する画像処理装置において、装置の操作者を特定する操作者情報を記憶し操作者を判別する操作者判別手段を有し、前記映像データと前記操作者情報とを関連づけて前記映像データ記憶手段に記憶することを特徴とする画像処理装置である。
【０００９】
請求項２記載の発明は、請求項１記載の画像処理装置において、前記映像データ記憶手段は、前記パターンを認識した画像データも併せて、前記操作者情報と関連づけて記憶することを特徴とする。
【００１０】
請求項３記載の発明は、請求項１又は２記載の画像処理装置において、前記映像データを集約化して、前記映像データ記憶手段に記憶させる集約手段を有することを特徴とする。
【００１１】
請求項４記載の発明は、請求項３記載の画像処理装置において、前記操作者判別手段が操作者を管理者であると判別した場合に限り、前記集約手段によって集約された前記映像データ及び前記操作者情報を印刷する手段を有することを特徴とする。
【００１２】
請求項５記載の発明は、請求項１から４のいずれか１項記載の画像処理装置において、前記操作者情報及び前記映像データを、装置外部の管理者用装置へ送信する送信手段を有することを特徴とする。
【００１３】
請求項６記載の発明は、請求項１から４のいずれか１項記載の画像処理装置において、前記送信手段は、前記操作者情報及び前記映像データを、前記操作者情報から割り出した操作者用装置にも送信することを特徴とする。
【００１４】
請求項７記載の発明は、請求項１から６のいずれか１項記載の画像処理装置において、前記映像データは、不正な画像読み取りを行った操作者の映像データであることを特徴とする。
【００１５】
請求項８記載の発明は、請求項７記載の画像処理装置において、前記映像データは、不正な画像読取を行った操作者の動画の映像データであることを特徴とする。
【００１６】
請求項９記載の発明は、請求項７記載の画像処理装置において、前記映像データは、不正な画像読取を行った操作者の静止画の映像データであることを特徴とする。
【発明の効果】
【００１７】
本発明の画像処理装置によれば、機密性の要求される文書や複写することに違法性がある画像を不正に複写しようとした者を簡単に知ることが可能で、不正に複写しようとした画像が何であるかを、管理者が簡単に知ることが可能になる。
【発明を実施するための最良の形態】
【００１８】
以下、本発明を実施するための最良の形態を図面に基づいて具体的に説明する。
【００１９】
図１は、本実施形態のデジタル画像処理装置（ＭＦＰ）の全体構成とシステムを示したブロック図である。システムはＭＦＰ１と、ネットワークを介してつながった外部ＰＣ端末６、操作者判別装置１９からなる。
【００２０】
読取部２は、原稿をＣＣＤ光電変換素子からなるラインセンサとＡ／Ｄコンバータとそれら駆動回路を具備し（図示しない）、セットされた原稿をスキャンすることで原稿の濃淡情報をＲＧＢ各８ビットからなるデジタル画像データを生成し出力する機能を果たす。
【００２１】
プロッタ部３は、ＣＭＹＫからなるデジタル画像データを受け取ると、レーザービームを用いた電子写真プロセスを使って、転写紙に受け取った画像データを出力する機能を果たす。
【００２２】
ＨＤＤ４は、デスクトップ・パーソナル・コンピュータ（ＰＣ）などにも使用されている、電子データを保存するための大型の記憶装置で、ＭＦＰ１内では主にデジタル画像データ及びデジタル画像データの付帯情報、映像記憶装置１７で記憶された映像や画像を蓄積する機能を果たす。また、本実施形態ではＩＤＥを拡張して規格化されているＡＴＡバス接続のハードディスクを使用する。
【００２３】
外部Ｉ／Ｆ回路部５は、ＭＦＰ１と外部装置間で、各種データのやりとりを行うために必要な物理的な接続を行う機能を果たす回路である。本実施形態では、ネットワーク（例えば、イーサネット（登録商標）、ローカルエリアネットワーク、インターネット）と、ＳＤカードメモリ７と、操作者判別装置１９との接続を行う。
【００２４】
外部ＰＣ端末６は、いわゆるパーソナルコンピュータであり、これにインストールされたアプリケーションソフトやドライバを介して、ユーザはＭＦＰ１に対して各種制御や画像データの入出力を行う機能を果たす。ただしその場合でも、操作者は後述する操作者判別装置１９を用いてＭＦＰ１を使用可能状態にしなければならない。
【００２５】
ＳＤ７は、フラッシュメモリを内蔵した小型メモリ装置の一種であり、図示を省略したメモリカードリーダライタ装置に装着して画像データ及びその付帯情報を含む各種のデータを記録又は再生するための記録媒体であり、ＭＦＰ１に対して簡易に装置着脱可能で携帯性に優れている記録媒体である。
【００２６】
第２画像データ処理部１８は、ＨＤＤ４に保存された画像を、再度取り出して圧縮・伸張・画像の結合を行う装置で、主に画像の集約化を行う機能を果たす。
【００２７】
操作表示部１０は、ＭＦＰ１と操作者のインターフェイスを行う機能を果たす。本実施形態では、ＬＣＤ（液晶表示装置）とキースイッチから構成され、ＭＦＰ１の各種状態や操作方法をＬＣＤに表示し、操作者からのキースイッチ入力を検知する。
【００２８】
ＣＰＵ１１は、ＭＦＰ１の制御全体を司るマイクロプロセッサである。本実施形態では例えばインテル（Ｉｎｔｅｌ）社（登録商標）のｘ８６系のＣＰＵを使用する。
Ｎ．Ｂ．（North Bridge）１２は、例えば、パーソナルコンピュータに使用されるチップセットのひとつであり、汎用の電子デバイスである。主にＣＰＵ−ＰＣＩブリッジを含むＣＰＵシステムを構築する際によく使用されるバスのブリッジ機能を汎用回路化したものであり、本実施形態ではＣＰＵ−ＰＣＩバス、メモリコントローラ、ＡＧＰバスとの間をブリッジしている。
【００２９】
Ｓ．Ｂ．（South Bridge）１４は、例えば、パーソナルコンピュータに使用されるチップセットのひとつであり、汎用の電子デバイスである。主にＰＣＩ−ＩＳＡブリッジを含むＣＰＵシステムを構築する際によく使用されるバスのブリッジ機能を汎用回路化したものであり、本実施形態ではＲＯＭ１５との間をブリッジしている。
ＲＯＭ１５は、ＣＰＵ１１がＭＦＰ１の制御を行う際のプログラム（ブートプログラムも含む）が格納されるメモリである。
【００３０】
メモリ１３は、ＣＰＵ１１がＭＦＰ１の制御を行う際に、プログラムや中間処理データを一時的に記憶する記憶媒体である。ＣＰＵ１１には高速処理が求められるため、通常起動時にＲＯＭ１５に記憶されたブートプログラムにてシステムを起動して、その後は高速にアクセス可能なメモリ１３に展開されたプログラムによって処理を行う。本実施形態では規格化されたパーソナルコンピュータに使用されているＤＩＭＭを使用する。
【００３１】
バス制御回路８は、ＭＦＰ１内で必要な画像データ又は映像データと制御コマンド等各種データのやりとりを行うデータバスの制御回路であり、標準規格化された複数種のバス規格間のブリッジ機能も有している。
本実施形態では、操作表示部１０、読取部２、プロッタ部３、第１画像データ処理部１６、第２画像データ処理部１８、映像記憶装置１７とは、規格化された汎用拡張バスであるＰＣＩバスで、ＨＤＤ４とはＡＴＡバスで、メモリ９とはＤＩＭＭバスで、Ｎ．Ｂ．１２とはＡＧＰバスで接続し、ＡＳＩＣ（Application Specific Integrated Circuit）化している。すなわち、ＭＦＰ１内の各部を標準規格化された拡張バス規格を含む複数種類のバス規格に基づくバスをまたがって接続するバス制御手段の機能を果たす。
【００３２】
メモリ９は、複数種のバス規格間をブリッジする際の速度差や、接続された部品自体の処理速度差を吸収するために、一時的にやりとりするデータを記憶する記憶媒体である。本実施形態では規格化されたパーソナルコンピュータに使用されているＤＩＭＭを使用する。
【００３３】
第１画像データ処理部１６は、ＭＦＰ１内で必要となる画像データに対する加工、補正、編集、検知、変換、原稿からある規則性を持ったパターン（例えば、地紋）を読み取る不正画像検知、その不正画像検知によって原稿からある規則性を持ったパターンを読み取った場合に実行する画像形成抑制処理（「不正複写防止処理」ともいう）を含む各種の処理を行う。すなわち、画像読取手段によって得られた画像データから予め決められたパターンを認識したとき、上記画像データに対する画像形成抑制処理を実行する画像形成抑制手段の機能を果たす。
【００３４】
映像記憶装置１７は、ビデオカメラを含む撮影機を搭載し、ＭＦＰ１の周辺の情報、不正な画像読取を行った操作者の映像を撮影し、その映像データを記憶する。上記第１画像データ処理部１６が原稿からある規則性を持ったパターン（例えば、地紋）を読み取った場合の指示に基づいて、不正画像を検知したときの外部状況情報を取得して記憶する。その映像データとしては動画又は静止画がある。ここに記憶された映像データはＨＤＤ４に送って保存する。その保存された映像データは管理者用装置の外部ＰＣ端末６から取り出すことができる機能を持っている。すなわち、読取部２によって読み取った画像データから予め決められたパターンを認識したときのＭＦＰ１の周囲の映像の映像データを取得して記憶する映像データ記憶手段の機能を果たす。
【００３５】
操作者判別装置１９は、ＭＦＰ１の操作者を判別することのできる装置である。本実施形態では、例えば、カードキーリーダで実現される。このカードキーリーダは、操作者によって操作者専用のカードキーを装着されると、カードキーから操作者の情報を読み取り、ＭＦＰ１を使用可能状態にするものである。操作者はカードキーをカードキーリーダに装着している場合に限り、ＭＦＰ１を使用することができる。すなわち、操作者判別装置１９は、装置の操作者を特定する操作者情報を入力されることによって操作者を判別する操作者判別手段の機能を果たす。
【００３６】
本実施形態では、上記操作者判別装置１９をカードキーリーダとしたが、他に例えば、指紋、掌紋、指静脈、又は、瞳の虹彩などを使った生体認証セキュリティシステムを用いてもよい。
【００３７】
他に例えば、操作者ＩＤとパスワードの組み合わせを使ったセキュリティシステムを用いてもよい。この場合、操作者ＩＤが、装置の操作者を特定する操作者情報に相当し、操作者がＩＤとパスワードを操作表示部１０のキースイッチで入力すると、ＣＰＵ１１がそれらをＨＤＤ４に格納されたＩＤテーブルと照合する。
また、上記セキュリティシステムを、ネットワークを用いて実現してもよい。この場合、操作者がＩＤとパスワードを操作表示部１０のキースイッチで入力すると、外部Ｉ／Ｆ回路部５とネットワークを介して、認証サーバとして機能している外部ＰＣ端末６にあるＩＤテーブルと照合して、アクティベーションを行う。
【００３８】
次に、このＭＦＰ１における複写処理、画像読取処理、印刷処理について説明する。
図２は、図１に示す第１画像データ処理部１６の内部構成を示すブロック図である。
図３は、図１に示す第１画像データ処理部１６と映像記憶装置１７の各内部構成を示すブロック図である。
図４は、図１に示す第２画像データ処理部１８の内部構成を示すブロック図である。
【００３９】
（複写処理）
操作者は、操作者専用のカードキーを用意し、操作者判別装置１９に読み込ませ、ＭＦＰ１を使用可能状態にする。
そして、操作者は、原稿を読取部２にセットし、操作表示部１０によって所望するモードを含む各種の設定と複写（コピー）開始の指示の入力を行う。
操作表示部１０は、操作者から入力された設定又は指示の情報を、ＭＦＰ１内部の制御コマンドデータに変換して発行する。その発行された制御コマンドデータは、ＰＣＩバス、バス制御回路部８、ＡＧＰバスを介してＣＰＵ１１に通知される。
ＣＰＵ１１は、コピー開始の制御コマンドデータに従って、コピー動作プロセスのプログラムを実行し、コピー動作に必要な設定や動作を順に行っていく。
【００４０】
次にコピー動作プロセスの各動作を順に記す。
読取部２で原稿をスキャンし、ＲＧＢの各８ビットからなるデジタルの画像データを、ＰＣＩバス、バス制御回路部８を介してメモリ９に蓄積する。
ＣＰＵ１１は、第１画像データ処理部１６に、操作者の所望するモードに従った処理の設定を行う。その処理の内容に関しては後述する。
このときに操作者がデータ保存を所望する場合、メモリ９内のＲＧＢ各８ビットの画像データをＨＤＤ４に保存してもよい。
メモリ９に蓄積したＲＧＢ各８ビットの画像データは、第１画像データ処理部１６に送られる。
第１画像データ処理部１６内では、インターフェイス（Ｉ／Ｆ）回路部２０を介してＰＣＩバスからの各種データを送受する。これは汎用拡張バスであるＰＣＩバスと、画像データ処理内のローカルデータバスをブリッジする回路である。
【００４１】
不正コピー検知部２１は、受け取ったＲＧＢの画像データから、ある領域内のある規則性を持ったパターン（例えば、地紋）を検知し、そのパターンの有無の情報によって、その後の処理を決定することができる。
【００４２】
パターンが検知された場合、その情報に従って、不正コピーを防止することを含む、画像形成抑制処理（不正複写防止処理）を行う。画像形成抑制処理としては、不正画像の検知を行ったときに第１画像データ処理部１６で処理を行い、プロッタ部３によって不正画像を検知した領域を塗りつぶして印刷する（その結果不正に読み取られた画像部分は印刷されない）、又は印刷そのものを行わないという処理を行う。
【００４３】
不正コピー検知部２１によって検知された場合、Ｉ／Ｆ回路部２０を介して映像記憶装置１７のＩ／Ｆ回路部３０を通して映像記憶部３１に伝えられる。
【００４４】
また、不正コピー検知部２１から検知信号を受け取った場合、映像記憶部３１によってＭＦＰ１の周辺状況の映像の映像データを取得して記憶する。
映像記憶部３１によって撮影された映像は、ＰＣＩバスを通じてＨＤＤ４に保存される。その保存された映像データは、外部ＰＣ端末６を使ってシステム管理者が確認することが可能である。
【００４５】
第１画像データ処理部１６内の色変換部２２は、ＲＧＢ各８ビットのデータを受け取るとプロッタ部３用の色空間であるＣＭＹＫ各８ビットに変換する。このときに操作者が所望するモード情報によって彩度もあわせて調整する。
【００４６】
γ変換部２３は、ＣＭＹＫの各８ビットの画像データを受け取ると、操作者が所望するモード情報に従って明るさを調整して出力する。
【００４７】
フィルタ処理部２４は、ＣＭＹＫの各８ビットの画像データを受け取ると操作者が所望するモード情報に従って鮮鋭化処理と平滑化処理を施す。例えば、文字モードでは文字をハッキリ且つクッキリとさせるために鮮鋭化処理を施し、写真モードでは滑らかに階調性を表現するために平滑化処理を施す。
【００４８】
像域分離部２５では、後段の処理において画像の特徴にあった最適な処理を行うために、画像が文字領域であるか絵柄領域であるかを判定する。例えば、受け取った画像データを黒文字領域、色文字領域、及びその他の領域に分離する。
【００４９】
階調処理部２６では、ＣＭＹＫの各８ビットの画像データを受け取るとプロッタ部３の階調処理能力に従った階調数変換処理を行う。本実施形態ではＣＭＹＫの各２ビットの画像データに疑似中間調処理の一つである誤差拡散法を用いて階調数を変換する。
【００５０】
第１画像データ処理部１６で処理されたＣＭＹＫ各２ビットの画像データは、ＰＣＩバス、バス制御回路部８を介して再度メモリ９に蓄積する。
このときに操作者がデータ保存を所望する場合、メモリ９内のＣＭＹＫ各２ビットの画像データを、ＨＤＤ４に保存してもよい。
メモリ９に蓄積したＣＭＹＫ各２ビットの画像データは、ＰＣＩバス、バス制御回路部８を介してプロッタ部３に送られる。
プロッタ部３は受け取ったＣＭＹＫの各２ビットの画像データを用紙に印刷し、原稿のコピーを生成する。
【００５１】
（画像読取処理）
操作者は、操作者専用のカードキーを用意し、操作者判別装置１９に読み込ませ、ＭＦＰ１を使用可能状態にする。
そして、操作者は、原稿を読取部２にセットし、操作表示部１０によって所望するモードを含む各種の設定とスキャナ（画像読取）送信開始の指示の入力を行う。
【００５２】
操作表示部１０は、操作者から入力された設定又は指示の情報を、ＭＦＰ１内部の制御コマンドデータに変換して発行する。その発行された制御コマンドデータは、ＰＣＩバス、バス制御回路部８、ＡＧＰバスを介してＣＰＵ１１に通知される。
ＣＰＵ１１は、スキャナ送信開始の制御コマンドデータに従って、スキャナ送信動作プロセスのプログラムを実行し、スキャナ送信動作に必要な設定や動作を順に行っていく。
【００５３】
次にスキャナ送信動作プロセスの各動作を順に記す。
読取部２で原稿をスキャンし、ＲＧＢの各８ビットからなるデジタルの画像データを、ＰＣＩバス、バス制御回路部８を介してメモリ９に蓄積する。
ＣＰＵ１１は、第１画像データ処理部１６に、操作者の所望するモードに従った処理の設定を行う。その処理の内容に関しては後述する。
このときに操作者がデータ保存を所望する場合、メモリ９内のＲＧＢ各８ビットの画像データをＨＤＤ４に保存してもよい。
【００５４】
メモリ９に蓄積したＲＧＢ各８ビットの画像データは、第１画像データ処理部１６に送られる。
第１画像データ処理部１６内では、インターフェイス（Ｉ／Ｆ）回路部２０を介してＰＣＩバスからの各種データを送受する。これは汎用拡張バスであるＰＣＩバスと、画像データ処理内のローカルデータバスをブリッジする回路である。
【００５５】
第１画像データ処理部１６内の色変換部２２は、ＲＧＢの各８ビットの画像データを受け取ると、スキャナ用として規格化された色空間であるｓＲＧＢ各８ビットの画像データに変換する。
【００５６】
γ変換部２３は、ｓＲＧＢの各８ビットの画像データを受け取っても特に何も処理を行わず次段に出力する。もし、このとき操作者が特別に明るさの調整を指定している場合は明るさを調整し出力してもよい。
【００５７】
フィルタ処理部２４は、ｓＲＧＢの各８ビットの画像データを受け取ると操作者が所望するモード情報に従って鮮鋭化処理と平滑化処理を施す。例えば、文字モードでは文字をハッキリ且つクッキリとさせるために鮮鋭化処理を施し、写真モードでは滑らかに階調性を表現するために平滑化処理を施す。
【００５８】
像域分離部２５では、後段の処理において画像の特徴にあった最適な処理を行うために、画像が文字領域であるか絵柄領域であるかを判定する。例えば、受け取った画像データを黒文字領域、色文字領域、及びその他の領域に分離する。
【００５９】
階調処理部２６では、ｓＲＧＢの各８ビットの画像データを受け取っても特に何も処理を行わず次段に出力する。もし、このとき操作者が特別に階調数を指定している場合（例えば２値）は、階調数変換処理を行って出力してもよい。
【００６０】
第１画像データ処理部１６で処理されたｓＲＧＢ各８ビットの画像データは、ＰＣＩバス、バス制御回路部８を介して再度メモリ９に蓄積する。
このときに操作者がデータ保存を所望する場合、メモリ９内のｓＲＧＢ各８ビットの画像データをＨＤＤ４に保存してもよい。
【００６１】
メモリ９に蓄積したｓＲＧＢ各８ビットの画像データは、ＰＣＩバス、バス制御回路部８、ＡＧＰバス、Ｎ．Ｂ．１２、ＰＣＩバス、外部Ｉ／Ｆ回路部５を介して、ネットワークに送出され、外部サーバ（図示を省略する）や外部ＰＣ端末６に伝えられ、スキャナ送信が行われたことになる。
【００６２】
（印刷処理）
操作者は、外部ＰＣ端末６のアプリケーションソフトを通じて電子ドキュメントの印刷を行う。
アプリケーションソフトを使用する際、操作者は、不正コピー防止機能を付加することができるが、その領域を任意に設定することができる。
外部ＰＣ端末６のプリンタドライバソフトは、印刷指定された電子ドキュメントのレンダリングを行い、ＣＭＹＫ各２ビットので自他画像データを、生成する。
【００６３】
外部ＰＣ端末６はネットワークを介して、ＭＦＰ１に印刷（プリント）の要求と生成したＣＭＹＫの各２ビットの画像データを送出する。
ＣＰＵ１１は、外部Ｉ／Ｆ回路部５、ＰＣＩバス、Ｎ．Ｂ．１２を介して、外部ＰＣ端末６からのプリント要求の制御コマンドデータを受け取ると、印刷処理動作プロセスのプログラムを実行し、必要な設定や動作を順に行う。
【００６４】
次に印刷処理動作プロセスの各動作を順に記す。
外部ＰＣ端末６からネットワークを介して送られてくるＣＭＹＫ各２ビットの画像データは、外部Ｉ／Ｆ回路部５、ＰＣＩバス、Ｎ．Ｂ．１２、バス制御回路部８を介して、メモリ９に蓄積する。
メモリ９に蓄積したＣＭＹＫの各２ビットの画像データは、バス制御回路部８、ＰＣＩバスを介してプロッタ部３に送られる。
プロッタ部３は受け取ったＣＭＹＫ各２ビットの画像データを用紙に印刷し、印刷処理動作が行われたことになる。
【００６５】
次に、このＭＦＰ１における不正コピーが行われたときの処理について説明する。
【００６６】
不正コピー検知部２１は、画像データ中から所定のパターンを検知すると、画像形成抑制処理（不正複写防止処理）を実行するとともに、映像記憶装置１７はその不正コピー防止機能が働いた状況時の、不正コピーを行った操作者の映像を撮影して、その映像データを取得して記憶する。その記憶された映像データは、操作者判別装置１９から得られた操作者情報に関連づけられて、ともにＨＤＤ４に蓄積される。
記憶された映像データ及び操作者情報は、外部Ｉ／Ｆ回路部５を介して、管理者用の外部ＰＣ端末６へ送られる。
【００６７】
この不正コピーを行った使用者の映像は、静止画でもよいし動画でもよい。
映像記憶装置１７によって不正コピー防止機能が働いた瞬間から、ＭＦＰ１の操作者の映像として所定時間（例えば、３秒）毎の静止画を撮影してその各映像データを記憶する。また、不正コピー防止機能が働いた瞬間から、ＭＦＰ１の操作者の映像として動画の映像を撮影してその映像データを１フレームずつ記憶する。その記憶された映像データは、操作者判別装置１９から得られた操作者情報に関連づけられて、ともにＨＤＤ４に送って蓄積される。そして、外部Ｉ／Ｆ回路部５を通じて外部ＰＣ端末６へ送信して通知される。
【００６８】
また、不正コピー防止機能が働いたときの映像データ及び操作者判別装置１９から得られた操作者情報は、管理者用だけではなくて、操作者自身の外部ＰＣ端末６にも送るようにするとよい。
操作者は不正コピーを行った事実を知ることができるため、不正コピーの事実を確認でき、再発防止につながる。
【００６９】
また、本実施形態においては、操作者Ａが専用のカードキーを紛失したり盗まれたり貸したりして、操作者Ｂがそのカードキーを使い、不正コピーを行おうとした場合にも、操作者Ａにその旨の通知が送られるため、セキュリティの強化につながる。
【００７０】
また、上記映像データを圧縮して送信するとよい。
第１画像データ処理部１６による不正コピー防止機能動作時の映像データを、ＡＴＡバスを介してＨＤＤ４に一旦蓄積する。その蓄積された映像データを、第２画像データ処理部１８へ送る。送られた映像データは、Ｉ／Ｆ回路部４０を介して圧縮伸張処理部４１で圧縮処理されて、データ量が小さくなる。圧縮された映像データは再びＨＤＤ４に保存する。その後の映像データの送信処理は、上述した処理と同様である。
【００７１】
さらに、上記映像データを集約するとよい。
ＨＤＤ４内に蓄積された映像データを、第２画像データ処理部１８の圧縮伸張処理部４１によって圧縮して映像データのデータ量を小さくする。さらに、集約部４２によって映像データを集約して再びＨＤＤ４内に保存する。
その後の処理は、上述した処理と同様である。
【００７２】
さらに、管理者が操作者判別装置１９に管理者専用のカードキーを装着しＭＦＰ１を使用可能状態にした場合に、管理者がＨＤＤ４に保存された映像データと操作者情報と不正コピーをしようとした画像データをひとまとめに集約された形で取り出せるようにするとよい。
その場合は、上述と同様の処理を行って、ＨＤＤ４に映像データと操作者情報と不正コピーをしようとした画像データをひとまとめに集約して保存する。
【００７３】
情報を取り出す方法はいくつか考えられるが、本実施形態では、印刷して取り出すことにする。
印刷の命令が操作表示部１０から入ったとき、操作者判別装置１９が、管理者であるか確認を行う。確認されたら、ＨＤＤ４内に保存されたデータは、第１画像データ処理部１６内部の色変換部２２で、プロッタ部３用の色空間であるＣＭＹＫ各８ビットに変換される。変換された画像データは、プロッタ部３に送られて、プロッタ部３は受け取った画像データを転写紙に出力し、印刷処理が行われたことになる。
【００７４】
このように、本実施形態によれば、画像データを画像形成しようとしたときに特定の地紋を検知すると画像形成を抑制する機能と、その機能が働いたときにＭＦＰの周囲の映像を記録する機能を有するＭＦＰ１において、操作者判別装置１９、好ましくはカードキーリーダや指紋認証装置を備えることで、例えば操作者が不正コピーしようとしたときに、操作者情報と不正コピーしようとした動かぬ証拠を押さえることができる。また、不正コピーも防止できる。
【００７５】
そして、その操作者情報と不正コピーしようとした動かぬ証拠を、ＭＦＰ１の管理者の外部ＰＣ端末６に送ることによって、ＭＦＰ１の管理者がＭＦＰ１で不正コピーが行われようとしたことを即座に知ることができ、事実の早期発見をすることができるようになるため、セキュリティが向上する。
【００７６】
また、その操作者情報と不正コピーしようとした動かぬ証拠を、不正コピーをしようとした操作者の外部ＰＣ端末６に送ることによって、操作者がＭＦＰ１で不正コピーが行われようとしたことを即座に知ることができ、事実の確認をすることができるようになるため、再発防止につながる。
【００７７】
また、仮に操作者の専用カードキーが不正に使われて不正コピーが行われた場合でも、その事実の確認を即座にできるようになるため、システムのさらなるセキュリティ向上が実現する。
【００７８】
また、本実施形態によれば、映像記憶装置１７で撮影される映像データと操作者情報だけではなく、操作者がどの原稿の画像データを不正にコピーしようとしたのかを、同時に保存するため、誰がどのような原稿をコピーしようとしたのかが分かる。従ってよりセキュリティの強化につながる。
【００７９】
また、本実施形態によれば、ＭＦＰ１の管理者だけが、不正コピーをしようとした操作者の情報と、そのときの映像データと、その不正コピーしようとした原稿とを集約して、ＭＦＰ１から取得することができるため、ＭＦＰ１の管理者用の外部ＰＣ端末６がなくても、管理者が情報を取得することできるため、よりこのセキュリティシステムの利便性があがる。
【産業上の利用可能性】
【００８０】
この発明による画像処理装置は、複写機、ファクシミリ、プリンタ、スキャナと、複写機、ファクシミリ、プリンタ又はスキャナの機能を備えた装置全般に適用することができる。
【図面の簡単な説明】
【００８１】
【図１】本実施形態のデジタル画像処理装置（ＭＦＰ）の全体構成とシステムを示したブロック図である。
【図２】図１に示す第１画像データ処理部１６の内部構成を示すブロック図である。
【図３】図１に示す第１画像データ処理部１６と映像記憶装置１７の各内部構成を示すブロック図である。
【図４】図１に示す第２画像データ処理部１８の内部構成を示すブロック図である。
【符号の説明】
【００８２】
１    デジタル画像処理装置（ＭＦＰ）
２    読取部
３    プロッタ部
４    ＨＤＤ（大容量記憶装置）
５    外部Ｉ／Ｆ回路部
６    外部ＰＣ端末
７    ＳＤ
８    バス制御回路部
９    メモリ
１０    操作表示部
１１    ＣＰＵ
１２    Ｎ．Ｂ．
１３    メモリ
１４    Ｓ．Ｂ．
１５    ＲＯＭ
１６    第１画像データ処理部
１７    映像記憶装置１７
１８    第２画像データ処理部
１９    操作者判別装置
２０    Ｉ／Ｆ回路部
２１    不正コピー検知部
２２    色変換部
２３    γ変換部
２４    フィルタ処理部
２５    像域分離部
２６    階調処理部
３０    Ｉ／Ｆ回路部
３１    映像記憶部
４０    Ｉ／Ｆ回路部
４１    圧縮伸張処理部
４２    集約部
【図１】
2007336469.tif 000003
【図２】
2007336469.tif 000004
【図３】
2007336469.tif 000005
【図４】
2007336469.tif 000006